(57)【要約】【課題】吸塵性能が低下することなく、除塵レバーのガイドレールの変形を抑制する電気掃除機を得る。【解決手段】プリーツフィルタ１５に付着した塵埃を除塵させる除塵レバー１７と、除塵レバー１７をプリーツフィルタ１５の山部を横切るように移動可能に案内させるガイドレール１６と、プリーツフィルタ１５の山部に除塵レバー１７と接触する補強部２３を備え、補強部２３にガイドレール１６の上下方向の変形を抑制する第１の変形防止部２４を設けた。【選択図】図１２
2011010981.tif 000002
【特許請求の範囲】
【請求項１】
電動送風機と、
前記電動送風機が発生する気流により吸引した塵埃を集塵する集塵ケースと、
前記集塵ケースと前記電動送風機との間の風路に設けられたプリーツフィルタと、
前記プリーツフィルタの山部を横切るように、前記プリーツフィルタを支持するプリーツフィルタ枠体の一端から他端にわたって配設されたガイドレールと、
前記ガイドレールに沿って移動可能に設けられた除塵レバーと、を備え、
前記除塵レバーを前記ガイドレールに沿って移動することにより前記プリーツフィルタの山部に振動を与えて前記プリーツフィルタに付着した塵埃を除塵し、
前記プリーツフィルタは山部を補強する補強部を有し、
前記補強部に前記除塵レバーの移動方向と直交する方向における前記ガイドレールの変形を防止する第１の変形防止部を設けたことを特徴とする電気掃除機。
【請求項２】
前記除塵レバー及び前記ガイドレールを挟んで前記プリーツフィルタと対向するフィルタを支持するフィルタ枠体を備え、
前記フィルタ枠体に前記除塵レバーの移動方向と直交する方向における前記ガイドレールの変形を防止する第２の変形防止部を設けたことを特徴とする請求項１に記載の電気掃除機。
【発明の詳細な説明】
【技術分野】
【０００１】
本発明は、電気掃除機に係り、特に、手動によるプリーツフィルタの除塵機構を有する電気掃除機に関するものである。
【背景技術】
【０００２】
従来、手動によるプリーツフィルタの除塵機構は、プリーツフィルタの側面にガイドレールを配置し、そのガイドレールに沿って移動可能な除塵レバーを有している（特許文献１参照）。
【先行技術文献】
【特許文献】
【０００３】
【特許文献１】特開２００８−１７８５０６号公報（第４−５頁、図３）
【発明の概要】
【発明が解決しようとする課題】
【０００４】
しかしながら、上記従来技術のような構成においては、ガイドレールは両端部だけプリーツフィルタの枠体に固定されている。さらに、ガイドレールは除塵レバーの移動方向と直交する方向に対し変形しやすい構造であるため、除塵レバーを移動させる際などに、除塵レバーに対し移動方向と直交する方向にも力が加わると、ガイドレールの中央部が、除塵レバーの移動方向に直交する方向に変形する虞があった。この結果、除塵レバーをスムーズに移動することができず、使い勝手が悪くなるという課題があった。
一方、強度を高めるように、例えばガイドレールの上下のレール部の幅を広く構成すれば変形が抑制される。しかし、ガイドレールの配置される位置は電気掃除機の吸引風の風路内なので、強度を高めるようにガイドレールを構成すると風路をさえぎる断面積が大きくなり、吸塵性能が低下するという課題があった。
【０００５】
本発明は、上記のような課題を解決するためになされたもので、ガイドレールの変形を抑制しつつ、吸塵性能の低下の少ない電気掃除機を得ることを目的とするものである。
【課題を解決するための手段】
【０００６】
本発明に係る電気掃除機は、電動送風機と、電動送風機が発生する気流により吸引した塵埃を集塵する集塵ケースと、集塵ケースと電動送風機との間の風路に設けられたプリーツフィルタと、プリーツフィルタの山部を横切るように、プリーツフィルタを支持するプリーツフィルタ枠体の一端から他端にわたって配設されたガイドレールと、ガイドレールに沿って移動可能に設けられた除塵レバーとを備え、除塵レバーをガイドレールに沿って移動することによりプリーツフィルタの山部に振動を与えてプリーツフィルタに付着した塵埃を除塵し、プリーツフィルタは山部を補強する補強部を有し、補強部に除塵レバーの移動方向と直交する方向における前記ガイドレールの変形を防止する第１の変形防止部を設けたものである。
【発明の効果】
【０００７】
本発明に係る電気掃除機によれば、吸塵性能が低下することなくガイドレールの変形を抑制して、除塵レバーをスムーズに移動できる使い勝手のよい電気掃除機を得ることができる。
【図面の簡単な説明】
【０００８】
【図１】本発明の実施の形態１に係る電気掃除機の全体構成図である。
【図２】本発明の実施の形態１に係る電気掃除機の本体の構成を概略的に示した断面図である。
【図３】本発明の実施の形態１に係る電気掃除機において、除塵レバーとガイドレールを装着した状態の集塵ケースの外観を示した斜視図である。
【図４】本発明の実施の形態１に係る電気掃除機において、蓋部を開成して集塵ケースを取り出し、フィルタ枠体側を臨んだ斜視図である。
【図５】本発明の実施の形態１に係る電気掃除機において、除塵レバーとガイドレールを外した状態の集塵ケースの外観を示した斜視図である。
【図６】本発明の実施の形態１に係る電気掃除機のガイドレールの外観を示した斜視図である。
【図７】本発明の実施の形態１に係る電気掃除機の除塵レバーの外観を示した斜視図である。
【図８】本発明の実施の形態２に係る電気掃除機のフィルタ枠体の外観を示した斜視図である。
【図９】本発明の実施の形態２に係る電気掃除機のフィルタ枠体の断面図である。
【図１０】本発明の実施の形態２に係る電気掃除機において、蓋部を開成して集塵ケースを取り出し、さらにフィィルタ枠体を取り外して、仕切り壁側を臨んだ斜視図である。
【図１１】本発明の実施の形態２に係る電気掃除機のフィルタ枠体周辺部の断面図である。
【図１２】本発明の実施の形態１及び２に係る電気掃除機のガイドレール周辺の拡大断面図である。
【発明を実施するための形態】
【０００９】
[実施の形態１]
図１は本発明の実施の形態１に係る電気掃除機の全体構成図である。図２は本発明の実施の形態１に係る電気掃除機の本体の構成を概略的に示した断面図である。図３は本発明の実施の形態１に係る電気掃除機において、除塵レバーとガイドレールを装着した状態の集塵ケースの外観を示した斜視図である。図４は本発明の実施の形態１に係る電気掃除機において、蓋部を開成して集塵ケースを取り出し、フィルタ枠体側を臨んだ斜視図である。図５は本発明の実施の形態１に係る電気掃除機において、除塵レバーとガイドレールを外した状態の集塵ケースの外観を示した斜視図である。図６は本発明の実施の形態１に係る電気掃除機のガイドレールの外観を示した斜視図である。図７は本発明の実施の形態１に係る電気掃除機の除塵レバーの外観を示した斜視図である。図１２は本発明の実施の形態１に係る電気掃除機のガイドレール周辺の拡大断面図である。
【００１０】
図１において、電気掃除機１は、電動送風機２と集塵部３を内臓した掃除機本体４に、ホース５の一端側が接続され、ホース５の他端側には電気掃除機１の操作部（図示せず）を備えた把持部６の一端側に接続される。把持部６の他端側には延長管７の一端側が接続される。延長管７の他端側には吸込具１０が接続される。
【００１１】
図２において、電気掃除機本体４の内部に電動送風機２を備え、その上流には連結風路１１、集塵部３、吸込口１３の順に風路が構成されている。また、集塵部３は、集塵室１２と、その内部に配設される集塵ケース１４、集塵ケース１４の下流側で電動送風機２との間に配設されるプリーツフィルタ１５及びフィルタ枠体１８に装着されるフィルタ１８ｅから構成される。プリーツフィルタ１５は集塵ケース１４に吸引された塵埃を含む空気から塵埃を濾過するものである。また、フィルタ１８ｅは、誤って集塵ケース１４を集塵室１２に配設しないで電動送風機１をさせた場合に、集塵室１２内の比較的大きい塵埃が電動送風機１に吸込まれて電動送風機を破損しないようにするためのものであり、プリーツフィルタ１５よりも目が粗く構成される。集塵ケース１４は、プリーツフィルタ１５とともに集塵室１２に対し着脱自在に配設される。フィルタ枠体１８は、フィルタ１８ｅとともに仕切り壁１２ａ側に着脱自在に取り付けられる。フィルタ１８ｅはフィルタ枠体１８と着脱自在に取り付けられる（図１２参照）。
なお、９ａ、９ｂは、電気掃除機本体４を移動可能に支持する車輪である。
【００１２】
図３において、集塵ケース１４の図面左奥側が吸気口１３に連通する側であり、図面右手前にプリーツフィルタ１５が配設される。プリーツフィルタ１５はその外周を一体成形により形成されたプリーツフィルタ枠体１５ａで支持される。プリーツフィルタ１５は山部と谷部を備えた波形状をしており、山部、谷部の稜線は集塵ケース１４の上下方向に延びる。プリーツフィルタ枠体１５ａは、集塵ケース１４の底面前方（吸気口１３側）の左右両側に設けられたヒンジ１９により、回動自在に軸支される。プリーツフィルタ枠体１５ａは、その上部が集塵ケース１４の上方の係止部２０により係止される。集塵ケース１４の上方の解除レバー２１を押すと係止部２０の係止が外れ、プリーツフィルタ枠体１５ａは、ヒンジ１９の周りに回動して集塵ケース１４の後面及び底面が開放される。なお、集塵ケース１４の上部にはハンドル２２が取り付けられる。
【００１３】
プリーツフィルタ１５の下流側で上端付近には、除塵レバー１７とガイドレール１６を備えている。ガイドレール１５は、プリーツフィルタ１５の山部を横切るように、プリーツフィルタ枠体１５ａの一端から他端にわたって配設され、その両端に取付部１６ａを設け、ねじ止めによりプリーツフィルタ枠体１５ａの取付孔１６ｂに固定される（図５参照）。除塵レバー１７はガイドレール１６と補強部２３とで挟持されつつ、左右方向（ガイドレール１６の長手方向）に移動可能な状態で、プリーツフィルタ枠体１５ａに取り付けられる。
【００１４】
図４において、集塵室１２は上部開口を蓋部８が開閉自在に閉成する。集塵室１２には集塵ケース１４が着脱自在に収容される。ここで、プリーツフィルタ１５、ガイドレール１６、除塵レバー１７は、仕切り壁１２ａ側に着脱自在に装着されたフィルタ枠体１８に対向して収容される。なお、吸込口１３にその一端が挿入されるホース５は図示していない。
【００１５】
図５において、プリーツフィルタ１５の山部の先端の一部には、補強部２３がプリーツフィルタ１５と一体成形によって形成されている。さらにガイドレール１６の変形を防止する第１の変形防止部である突起２４が補強部２３の山部から個別に設けられている。また、補強部２３の両端側のプリーツフィルタ枠体１５ａには、ガイドレール１６をねじ止めするための取付孔１５ｂが設けられる。
【００１６】
図６において、図６（ａ）は、ガイドレール１６を表面側（風下側）からみた図であり、図６（ｂ）は裏面側（風上側）からみた図である。
ガイドレール１６は略長方形の枠状をなし、その両端には取付部１６ａを備える。ガイドレール１６の中心にはガイド開口１６ｂが形成される。ガイドレール１６の裏面でガイド開口１６ｂの周縁にはガイド壁１６ｃが形成される。上方のガイド壁１６ｃに直交するように上側壁１６ｇが形成される。また、下方のガイド壁１６ｃに直交するように下側壁１６ｈが形成される。ガイドレール１６の裏面側の長手方向の両端付近には、上下一対のストッパー１６ｄが形成される。
【００１７】
下側壁１６ｈを形成するリブの反対側には、複数の凹部１６ｅがガイドレール１６の長手方向に形成される。複数の凹部１６ｅにプリーツフィルタ１５の補強部２３に形成された複数の突起２４が嵌入する。複数の突起２４は、凹部１６ｅの中で、ガイドレール１６の長手方向には移動可能であるが、長手方向と直交する方向については、突起２４の上側側面が凹部１６ｅの上側側面と当接し、ガイドレール１６の長手方向と直交する下方向の変形を抑制する（図１２参照）。
【００１８】
また、ガイドレール１６の上側の外壁１６ｉ（上側壁１６ｇを形成するリブの反対側）が、プリーツフィルタ枠体１５ａの下壁１５ｃと当接するので、ガイドレール１６の長手方向と直交する上方向の変形を抑制する（図１２参照）。
【００１９】
図７において、図７（ａ）は、除塵レバー１７を表面側（風下側）からみた図であり、図７（ｂ）は裏面側（風上側）からみた図である。
除塵レバー１７は略横長の枠状をなし、中央部には風下方向に立設されたつまみ部１７ａが形成される。除塵レバー１７はガイドレール１６の裏面側から嵌装される。除塵レバー１７の外周には、上側壁１７ｃ、下側壁１７ｄ、左右の横側壁１７ｅが形成される。また、除塵レバー１７の裏面の下方両側には、除塵レバー１７の裏面側の面位置よりも突出した一対の突出部１７ｂが形成され、除塵レバー１７の移動とともに、突出部１７ｂはプリーツフィルタ１５の山部の先端の補強部２３を弾いて、プリーツフィルタ１５に振動を与える。
【００２０】
除塵レバー１７をガイドレール１６に沿って移動する場合、除塵レバー１７の上側壁１７ｃがガイドレール１６の上側壁１６ｇと当接し、除塵レバー１７の下側壁１７ｄがガイドレール１６の下側壁１６ｈと当接し、除塵レバー１７の表側の上方及び下方の面がガイドレール１６のガイド壁１６ｃと当接した状態で摺動する。また、除塵レバー１７をガイドレール１６に沿って左方向または右方向に移動させると、除塵レバー１７の一方の横側壁１７ｅがガイドレール１７の一方のストッパー１６ｄと当接し、除塵レバー１７の移動を規制する。
【００２１】
次に、電気掃除機１の掃除中の動作と、除塵動作について説明する。中央の矢印は空気の流れを示す。図２の中央の矢印は空気の流れを示す。
把持部６に設けられた操作部のスイッチを入れると、掃除機本体４に内臓された電動送風機２が動作し、電動送風機２が発生する気流により吸込具本体１０の下面に設けられた吸引口（図示せず）から、塵埃を含んだ空気が吸込まれ、延長管７、ホース５を経由して、集塵部３に至る。塵埃を含んだ空気は、集塵部３の一部を構成する集塵ケース１４に設けたプリーツフィルタ１５で濾過されることにより、塵埃と空気とが分離される。塵埃が集塵ケース１４に残り、塵埃を除去された空気が除去された空気が、フィルタ枠体１８に設けられたフィルタ１８ｅ、連結風路１１、電動送風機２を経由して掃除機本体４に設けられた排気口（図示せず）より排出される。
【００２２】
次に除塵動作について説明する。
電気掃除機本体４の蓋部８を開け、集塵ケース１４上部のハンドル２２を持って集塵ケース１４を集塵室１２から引き出す。次に、解除レバー２１を押して係止部２０によるプリーツフィルタ枠体１５ａの係止を解除する。すると、プリーツフィルタ枠体１５ａはヒンジ１０の周りに回動し、集塵ケース１４の後面（プリーツフィルタ１５の配設される面）及び底面が開放するので、集塵ケース１４内の塵埃を廃棄できる。
【００２３】
このように、集塵ケース１４の中に貯められた塵埃は電気掃除機１の使用者によって捨てられるが、細かい塵埃はプリーツフィルタ１５に貼り付いてしまうので捨てられずに残ってしまい、風路が狭くなり目詰まりが発生してしまう。これを解消するために、使用者は、プリーツフィルタ枠体１５ａを開放する前に、除塵レバー１７のつまみ部１７ａを摘んでガイドレール１６に沿って移動させる。そして、突出部１７ｂが補強部２３の山部を弾き、その振動によりプリーツフィルタ７に付着した塵埃が剥離する。剥離された塵埃は垂直方向に延びるプリーツフィルタ１５の山部、谷部の間の空間を下方に落ちて、塵埃ケース１４の下部に至る。
【００２４】
除塵レバー１７のつまみ部１７ａを摘んでをガイドレール１６に沿って移動させる時、ガイドレール１６の上下方向（長手方向に直交する方向）に力が加わることがあるが、プリーツフィルタ１５の補強部２３に形成された複数の突起２４がガイドレール１６の凹部１６ｅに嵌入し、ガイドレール１６が上下方向に変形するのを抑制する。
【００２５】
なお、図１２にはガイドレール１６の凹部１６ｅが突起２４（第１の変形防止部）を覆うように構成したが、凹部１６ｅを構成する下側の壁をなくし、凹部１６ｅを構成する上側の壁と突起２４の上側の壁とが当接するように構成しても同じ効果が得られる。
【００２６】
また、ガイドレール１６の外壁１６ｉをプリーツフィルタ枠体７ａの下壁１５ｃに当接することにより変形を抑制するため、除塵レバー１７やガイドレール１６をプリーツフィルタ１５の上方側に配置しているが、プリーツフィルタ１５の中央に配置させたい場合、突起２４をガイドレール１６の外壁１６ｉと当接する位置にも設けることにより、ガイドレール１６の変形を防止させることが可能である。さらに、除塵レバー１７やガイドレール１６をプリーツフィルタ１５の下方に配置させたい場合でも、上側に配置した場合と上下逆の構成にすれば変形を抑制することができる。
【００２７】
除塵レバー１７やガイドレール１６を配設する位置として、プリーツフィルタ１５に振動を効率的に与えるという点では、プリーツフィルタ１５の中央に配置することが望ましいが、風路の中央に風路を遮る構造が配置されるので、風路の圧損が増えるという欠点がある。したがって、除塵性能と圧損とのバランスを考慮し除塵レバー１７やガイドレール１６を配設する位置を決定することになる。
【００２８】
さらに、突起２４は補強部２３から個別に突出しており、左右方向に可動できるので、プリーツフィルタ１５への振動を妨げることなく、ガイドレール１６の上下方向の変形を抑制することができる。
【００２９】
このように、実施の形態１では、吸塵性能が低下することなくガイドレールの上下方向の変形を抑制して、除塵レバーをスムーズに移動できる使い勝手のよい電気掃除機を得ることができる。
【００３０】
実施の形態２．
実施の形態１では、プリーツフィルタ１５の補強部２３に設けた突起２４及びプリーツフィルタ枠体１５ａに設けた下壁１５ｃにより、ガイドレール１６の上下方向の変形を抑制したが、実施の形態２では、さらにガイドレール１６の風下方向の変形を抑制するものである。
【００３１】
図８は本発明の実施の形態２に係る電気掃除機のフィルタ枠体の外観を示した斜視図である。図９は本発明の実施の形態２に係る電気掃除機のフィルタ枠体の断面図である。図１０は本発明の実施の形態２に係る電気掃除機において、蓋部を開成して集塵ケースを取り出し、さらにフィルタ枠体を取り外して、仕切壁側をみた斜視図である。図１１は本発明の実施の形態２に係る電気掃除機のフィルタ枠体周辺部の断面図である。図１２は本発明の実施の形態１及び２に係る電気掃除機のガイドレール周辺の拡大断面図である。
【００３２】
図８はフィルタ枠体を風上側からみた斜視図である。フィルタ枠体１８の裏面側（風下側）には、上端の左右に一対の上側爪１８ａを形成し、下端の左右に一対の下側爪１８ｂを形成する。一対の上側爪１８ａ及び一対の下側爪１８ｂにより、フィルタ１８ｅを保持する。フィルタ１８ｅは不織布等の柔らかい素材を使用するため、上側爪１８ａと下側爪１８ｂに挟み込んで保持することが可能である。また、フィルタ枠体１８の裏面側には、上下方向の略中央の左右に一対の固定爪１８ｃが風下方向に延設するように形成される。また、フィルタ枠体１８の表面側（風上側）は、上方の段部１８ｄ（第２の変形防止部）を境界として、フィルタ枠体１８の段部の上側の面が下側の面よりもガイドレール１６の厚み分だけ風下側に形成される（図９参照）。このフィルタ枠体１８の段部の上側の面にガイドレール１５の上面（風下側の面）が当接するように配設される。
【００３３】
図１０において、集塵室１２と電動送風機２の収納される電動送風機室とを仕切る仕切壁１２ａに設けられる連通開口１２ｂが形成される。連通開口１２ｂには格子１２ｃが設けられ、この格子１２ｃにフィルタ枠体１８の固定爪１８ｃが係止して、フィルタ枠体１８が連通開口１２ｃと対向するように装着される（図１１、図１２参照）。
【００３４】
電動送風機１の発生する吸引風により、ガイドレール１６は風下側に変形する力を受ける。しかし、格子１２ｃ側に固定されたフィルタ枠体１８の段部１８ｄの上方の面がガイドレール１６の表面を支えるので、ガイドレール１５が風下側に変形するのを抑制する。また、フィルタ枠体１８が左右方向の中心線に対して折れ曲がるように変形する力が加わっても、段部１８ｄが補強リブとして機能するため、この変形を抑制できる。したがって、除塵時にガイドレール１６に風下側の変形が残らず、除塵レバー１７をスムーズに移動できる。さらに、ガイドレール１６の表面が格子１２ｃと当接するので、風路を遮る構造がなく、吸塵性能が低下することがない。
【００３５】
このように、実施の形態２では、吸塵性能が低下することなくガイドレールの風下方向の変形を抑制して、除塵レバーをスムーズに移動できる使い勝手のよい電気掃除機を得ることができる。
【符号の説明】
【００３６】
１  電気掃除機、２  電動送風機、３  集塵部、４  電気掃除機本体、５  ホース、
６  把持部、７  延長管、８  蓋部、９ａ  車輪、９ｂ  車輪、１０  吸込具、
１１  連結風路、１２  集塵室、１２ａ  仕切壁、１２ｂ  連通開口、１２ｃ  格子、
１３  吸込口、１４  集塵ケース、１５  プリーツフィルタ、
１５ａ  プリーツフィルタ枠体、１５ｂ  取付孔、１５ｃ  下壁、１６  ガイドレール、
１６ａ  取付部、１６ｂ  ガイド開口、１６ｃ  ガイド壁、１６ｄ  ストッパー、
１６ｅ  凹部、１６ｆ  段部、１６ｇ  上側壁、１６ｈ  下側壁、１７  除塵レバー、
１７ａ  つまみ部、１７ｂ  突出部、１７ｃ  上側壁、１７ｄ  下側壁、
１７ｅ  横側壁、１８  フィルタ枠体、１８ａ  上側爪、１８ｂ  下側爪、
１８ｃ  固定爪、１８ｄ  段部（第２の変形防止部）、１８ｅ  フィルタ、
１９  ヒンジ、２０  係止部、２１  解除レバー、２２  ハンドル、２３  補強部、
２４  突起（第１の変形防止部）
【図１】
2011010981.tif 000003
【図２】
2011010981.tif 000004
【図３】
2011010981.tif 000005
【図４】
2011010981.tif 000006
【図５】
2011010981.tif 000007
【図６】
2011010981.tif 000008
【図７】
2011010981.tif 000009
【図８】
2011010981.tif 000010
【図９】
2011010981.tif 000011
【図１０】
2011010981.tif 000012
【図１１】
2011010981.tif 000013
【図１２】
2011010981.tif 000014